(57)【要約】  接続端子と、固定接点と、可動板部と、前記可動板部の一方の端部に設けられた可動接点と、絶縁体により形成されており前記可動板部と接触するカードと、前記カードと接触するボタンと、前記ボタンに接続された開離バネと、前記固定接点と前記可動接点との接触を制御するためのスライド操作部とを含み、前記スライド操作部の一方の方向への移動により、前記固定接点と前記可動接点とが接触してオン状態となり、前記スライド操作部の前記一方の方向とは反対方向である他方の方向への移動によって、前記固定接点と前記可動接点との接触が離れ、オフ状態となるものであって、前記スライド操作部は、前記接続端子の設けられている面とは異なる面に設けられていることを特徴とするコネクタ。
2013022089.tif 000002
【特許請求の範囲】
【請求項１】
他のコネクタにおける他の接続端子と接続される接続端子と、
固定接点と、
可動板部と、
前記可動板部の一方の端部に設けられた可動接点と、
絶縁体により形成されており、前記可動板部と接触するカードと、
前記カードと接触するボタンと、
前記ボタンに接続された開離バネと、
前記固定接点と前記可動接点との接触を制御するためのスライド操作部と、
を含み、
前記固定接点または前記可動接点のうち、いずれか一方は前記接続端子と接続されているものであって、
前記スライド操作部の一方の方向への移動により、前記ボタンが押下され、前記カードを介して前記可動板部が動き、前記固定接点と前記可動接点とが接触することによりオン状態となり、
前記スライド操作部の前記一方の方向とは反対方向である他方の方向への移動によって、前記開離バネの復元力により前記固定接点と前記可動接点との接触が離れ、オフ状態となるものであって、
前記スライド操作部は、前記接続端子の設けられている面とは異なる面に設けられていることを特徴とするコネクタ。
【請求項２】
複数の前記固定接点と複数の前記可動接点が設けられており、前記ボタンの押下により、前記複数の固定接点と対応する前記複数の可動接点が、同時に接触するものであることを特徴とする請求項１に記載のコネクタ。
【請求項３】
請求項１に記載されているコネクタを複数有するコネクタバー。
【請求項４】
各々の前記コネクタにおけるスライド操作部は、コネクタバーの同じ面に設けられていることを特徴とする請求項３に記載のコネクタバー。
【請求項５】
前記コネクタにおけるスライド操作部をスライドさせるスイッチ操作部をさらに有することを特徴とする請求項３に記載のコネクタバー。
【請求項６】
前記スイッチ操作部は、操作部と、前記操作部に接続される棒状部とを有し、前記操作部を操作することにより、前記棒状部が各々のスイッチ操作部を同時にスライドさせることを特徴とする請求項５に記載のコネクタバー。
【請求項７】
他のコネクタと接続されるコネクタであって、
固定接点と、
可動板部と、
前記可動板部に設けられ、前記固定接点と接触可能な可動接点と、
第一の方向と、前記第一の方向とは逆の第二の方向とにスライド可能なスライド部と、
前記スライド部の移動に応じて、押下方向及び逆の方向に移動可能なボタンと、
前記ボタンを前記逆の方向に付勢するバネと、
前記ボタンの移動に応じて移動して、前記固定接点と前記可動接点とが接触する方向と離間する方向とに前記可動板部を移動させるカード部と、を備え、
前記スライド部が前記第一の方向にスライドするとき、前記ボタンは前記スライド部により前記押下方向に移動し、前記カード部は前記ボタンの移動に応じて移動し、前記固定接点と前記可動接点とが接触する方向に前記可動板部を移動させ、
前記スライド部が前記第二の方向にスライドするとき、前記ボタンは前記バネの付勢力により前記逆の方向に移動し、前記カード部は前記ボタンの移動に連動して移動し、前記固定接点と前記可動接点とが離間する方向に前記可動板部を移動させること、を特徴とするコネクタ。
【発明の詳細な説明】
【技術分野】
【０００１】
本発明は、コネクタ及びコネクタバーに関する。
【背景技術】
【０００２】
一般的に電気機器は、電源等より電力の供給を受け動作するものであり、電源より電力の供給を受ける際には、通常コネクタを介し電源より電気機器へ電力が供給される。この際用いられるコネクタは、特許文献１、２に開示されているように、凸状の雄型タイプのコネクタと、凹状の雌型タイプのコネクタを嵌合することにより、電気的に接続を行うものである。【０００３】
一方、近年では、地球温暖化等に対する対策の一つとして、ローカルエリアにおける送電においても、電圧変換や送電等における電力損失が少なく、ケーブルの太さも太くする必要のない、直流で高電圧の電力の供給が検討されている。特に、サーバ等の情報機器においては、大量に電力を消費するためこのような電力供給が望ましいものとされている。【０００４】
ところで、電気機器に供給される電力に関しては、電圧が高いと人体に影響を及ぼす場合や、電子部品の動作に影響を与える場合がある。このような高電圧の電力をサーバ等の情報機器に用いる場合、装置の設置やメンテナンスの際においては、人により作業が行われるため、電気的接続がされている部分であるコネクタは通常の交流の商用電源に用いられるコネクタとは異なるものとする必要がある。
【先行技術文献】
【特許文献】
【０００５】
【特許文献１】特開平５−８２２０８号公報
【特許文献２】特開２００３−３１３０１号公報
【発明の概要】
【発明が解決しようとする課題】
【０００６】
また、スイッチを組み込んだ構成のコネクタでは、電源から供給される電圧が１００Ｖ以上の場合、または、高電圧で直流である場合、現在使用されているスイッチをそのまま用いることはできない。例えば、電源から供給される電力が直流４００Ｖの場合では、現在の交流１００Ｖに用いられているスイッチでは、十分な安全性や信頼性が確保されていないため、そのまま使用することは危険である。【０００７】
よって、本発明は、上記に鑑みてなされたものであり、高電圧の電力を安全に供給することが可能なコネクタ及びコネクタバー、即ち、現状の商用電源の電圧よりも高い電圧の電源、または、直流電源に対応した安全性及び信頼性の高いコネクタ及びコネクタバーを提供することを目的とするものである。
【課題を解決するための手段】
【０００８】
本発明の実施の形態の一側面によれば、他のコネクタにおける他の接続端子と接続される接続端子と、固定接点と、可動板部と、前記可動板部の一方の端部に設けられた可動接点と、絶縁体により形成されており前記可動板部と接触するカードと、前記カードと接触するボタンと、前記ボタンに接続された開離バネと、前記固定接点と前記可動接点との接触を制御するためのスライド操作部とを含み、前記固定接点または前記可動接点のうち、いずれか一方は前記接続端子と接続されているものであって、前記スライド操作部の一方の方向への移動により、前記ボタンが押下され、前記カードを介して前記可動板部が動き、前記固定接点と前記可動接点とが接触することによりオン状態となり、前記スライド操作部の前記一方の方向とは反対方向である他方の方向への移動によって、前記開離バネの復元力により前記固定接点と前記可動接点との接触が離れ、オフ状態となるものであって、前記スライド操作部は、前記接続端子の設けられている面とは異なる面に設けられていることを特徴とするコネクタが提供される。
【発明の効果】
【０００９】
本発明の実施の形態によれば、現状の商用電源の電圧よりも高い電圧の電源、または、直流電源に対応したコネクタ及びコネクタバーであって、これらの電源からの電力を安全に供給することが可能なコネクタ及びコネクタバーを提供することができる。
【図面の簡単な説明】
【００１０】
【図１】第１の実施の形態に用いられるプラグコネクタの斜視図
【図２】第１の実施の形態に用いられるプラグコネクタの上面図
【図３】第１の実施の形態に用いられるプラグコネクタの側面図
【図４】第１の実施の形態に用いられるプラグコネクタの底面図
【図５】第１の実施の形態に用いられるプラグコネクタの正面図
【図６】第１の実施の形態におけるコネクタの上面図
【図７】第１の実施の形態におけるコネクタの右側面図
【図８】第１の実施の形態におけるコネクタの背面図
【図９】第１の実施の形態におけるコネクタの左側面図
【図１０】第１の実施の形態におけるコネクタの正面図
【図１１】第１の実施の形態におけるコネクタの底面図
【図１２】第１の実施の形態におけるコネクタの斜視図（１）
【図１３】第１の実施の形態におけるコネクタの斜視図（２）
【図１４】第１の実施の形態におけるコネクタの内部の上面図
【図１５】第１の実施の形態におけるコネクタの内部の右側面図
【図１６】第１の実施の形態におけるコネクタの内部の背面図
【図１７】第１の実施の形態におけるコネクタの内部の左側面図
【図１８】第１の実施の形態におけるコネクタの内部の正面図
【図１９】第１の実施の形態におけるコネクタの内部の裏面図
【図２０】第１の実施の形態におけるコネクタの内部の斜視図（１）
【図２１】第１の実施の形態におけるコネクタの内部の斜視図（２）
【図２２】スイッチ部の斜視図
【図２３】スイッチ部の構造図（オフ状態）
【図２４】スイッチ部の構造図（オン状態）
【図２５】第２の実施の形態におけるコネクタバーの斜視図
【図２６】第２の実施の形態におけるコネクタバーの上面図
【図２７】第２の実施の形態におけるコネクタバーを分解した斜視図
【図２８】第２の実施の形態におけるコネクタバーに用いられるコネクタの斜視図
【図２９】第２の実施の形態における他のコネクタバーの斜視図（１）
【図３０】第２の実施の形態における他のコネクタバーの上面図（１）
【図３１】第２の実施の形態における他のコネクタバーを分解した斜視図（１）
【図３２】第２の実施の形態における他のコネクタバーの斜視図（２）
【図３３】第２の実施の形態における他のコネクタバーの上面図（２）
【図３４】第２の実施の形態における他のコネクタバーを分解した斜視図（２）
【発明を実施するための形態】
【００１１】
本発明を実施するための形態について、以下に説明する。尚、同じ部材等については、同一の符号を付して説明を省略する。
【００１２】
〔第１の実施の形態〕
（コネクタの構造）
第１の実施の形態におけるコネクタの構造について説明する。本実施の形態におけるコネクタは、図１から図５に示される他のコネクタであるプラグコネクタと接続されるものであって、図６から図２１に示される構造のジャックコネクタに相当するコネクタである。尚、図１から図５に示されるプラグコネクタと、図６から図２１に示されるジャックコネクタに相当するコネクタとをあわせてコネクタと称する場合もある。
【００１３】
最初に、図１から図５に基づきプラグコネクタ２００について説明する。尚、図１は、プラグコネクタ２００の斜視図であり、図２は上面図であり、図３は側面図であり、図４は底面図であり、図５は正面図である。このプラグコネクタ２００は、絶縁体等により形成されたカバー２１０と、他の接続端子である３本のプラグ端子２２１、２２２、２２３を有しており、３本のプラグ端子２２１、２２２、２２３が設けられている側と反対側には、電源ケーブル２３０が接続されている。プラグ端子２２１はＧＮＤ端子であり、プラグ端子２２２、２２３よりも長く形成されている。プラグ端子２２２、２２３は、電気的に接続されることにより電力が供給される端子である。尚、このプラグコネクタ２００には、プラグ端子２２１、２２２、２２３の設けられている側のカバー２１０部分において、プラグ端子２２１、２２２、２２３の一部を覆うような形状で形成された保護部２１１が設けられており、更には、本実施の形態におけるコネクタと接続された後に、コネクタ接続がはずれることのないようにコネクタ接続開口部２１２が設けられている。
【００１４】
次に、図６から図２１に基づき本実施の形態におけるコネクタ１０について説明する。尚、図６は本実施の形態におけるコネクタの上面図であり、図７は右側面図であり、図８は背面図であり、図９は左側面図であり、図１０は正面図であり、図１１は底面図である。また、図１２は本実施の形態におけるコネクタの正面側からみた斜視図であり、図１３は背面側から見た斜視図である。また、図１４は本実施の形態におけるコネクタの内部の上面図であり、図１５は右側面図であり、図１６は背面図であり、図１７は左側面図であり、図１８は正面図であり、図１９は底面図である。また、図２０は本実施の形態におけるコネクタの内部の正面側からみた斜視図であり、図２１は背面側から見た斜視図である。
【００１５】
本実施の形態におけるコネクタは、全体が筐体５０に覆われており、プラグコネクタ２００におけるプラグ端子２２１、２２２、２２３が挿入されるジャック開口部２１、２２、２３と、プラグコネクタ２００における保護部２１１が挿入される溝部３１と、プラグコネクタ２００と本実施の形態におけるコネクタとが接続されている状態で、電力を供給するか否かの制御を行なうためのスライドスイッチのスライド操作部４０が設けられている。本実施の形態では、スライド操作部４０は、ジャック開口部２１、２２、２３が形成されている面以外の面に設けられており、ジャック開口部２１、２２、２３が形成されている面に隣接する面等に設けられている。スライド操作部４０は、一方のオンの位置または他方のオフの位置となるように、スライドさせることが可能であり、スライド操作部４０をスライドさせることにより、コネクタを介し、電力を供給するか否かの制御を行なうことができる。
【００１６】
即ち、ジャック開口部２１の内部にはジャック端子６１が設けられており、ジャック開口部２２の内部にはジャック端子６２が設けられており、ジャック開口部２３の内部にはジャック端子６３が設けられており、本実施の形態におけるコネクタであるジャックコネクタに、プラグコネクタ２００が嵌合している状態では、プラグ端子２２１とジャック端子６１が嵌合して接続されており、プラグ端子２２２とジャック端子６２が嵌合して接続されており、プラグ端子２２３とジャック端子６３が嵌合して接続されている。しかしながら、スライド操作部４０がオフの位置にある場合には、本実施の形態のコネクタの内部にあるジャック端子６２及び６３と電力供給源とを制御する不図示のスイッチが開いているため、ジャック端子６２を介しプラグ端子２２２に、及び、ジャック端子６３を介しプラグ端子２２３に電力が供給されることはない。
【００１７】
ここで、スライド操作部４０をスライドさせてオンの位置にすることにより、本実施の形態のコネクタの内部にあるジャック端子６２及び６３と電力供給源とを制御する不図示のスイッチが閉じるため、ジャック端子６２を介しプラグ端子２２２に、及び、ジャック端子６３を介しプラグ端子２２３に電力が供給される。
【００１８】
（スイッチ部）
次に、スライド操作部４０により操作されるスイッチ部１００について説明する。本実施の形態におけるコネクタのスイッチ部１００は、電力の供給の制御を行なうためのスイッチであって、電源スイッチとも称される。図２２にスイッチ部１００の斜視図を示し、図２３にスイッチ部１００の内部構造図を示す。図２３に示されるように、スイッチ部１００は、固定部１１０における固定接点１１１と可動部１２０における可動接点１２１とが接触するか否かにより、電源の供給のオン、オフの制御を行なうことができるものである。
【００１９】
固定部１１０は、全体が金属等の導電性材料により形成されており、可動部１２０における可動接点１２１と接触する固定接点１１１が、固定バネ１１２の一方の端部に設けられている構造のものである。尚、固定バネ１１２は、銅又は銅を含む合金等からなる金属板等を折曲げることにより形成されており、固定接点１１１は銀と銅の合金により形成されている。固定バネ１１２の他方の端部はベースブロック１３０におけるベースブロック本体部１３１において固定されるとともに、固定バネ１１２の中程において固定部支持部１３２において支持され固定されている。
【００２０】
可動部１２０は、全体が金属等の導電性材料により形成されており、固定部１１０における固定接点１１１と接触する可動接点１２１が、可動板部１２２の一方の端部に設けられ、可動板部１２２の他方の端部と可動バネ１２３の一方の端部とが接続された構造のものである。尚、可動板部１２２及び可動バネ１２３は、銅又は銅を含む合金等からなる金属板等を折曲げることにより形成されており、可動接点１２１は銀と銅の合金により形成されている。可動バネ１２３の他方の端部はベースブロック１３０におけるベースブロック本体部１３１において固定されているが、可動バネ１２３は金属板等を折曲げることにより形成されているものであるため柔軟性を有しており、可動板部１２２の一方の端部に設けられた可動接点１２１を上下方向に動かすことが可能である。また、ベースブロック１３０には、固定バネ１１２の他方が接続されている部分と、可動バネ１２３の他方が接続されている部分との間には、難燃性の樹脂材料等からなる絶縁壁１３３が設けられており、可動バネ１２３は、他方の端部より絶縁壁１３３の周囲の一部を回り込むような形状で曲げられている。
【００２１】
可動部１２０における可動板部１２２の一方の面となる上面は、カード１４０における第１の接触部となる上部接触部１４１と接触しており、可動板部１２２の他方の面となる下面は、カード１４０における第２の接触部となる下部接触部１４２と接触している。この状態において、回転軸１４３を中心にカード１４０を回転させることにより、可動板部１２２が上部接触部１４１または下部接触部１４２と接触し力が加わり、可動接点１２１を上下方向に移動させることができる。尚、上部接触部１４１及び下部接触部１４２は、可動板部１２２において摺動するものであるため、摩擦抵抗を低減させるために上部接触部１４１及び下部接触部１４２の表面には、フッ素樹脂等により形成された表面層を設けてもよい。
【００２２】
尚、固定部１１０及び可動部１２０は、ベースブロック１３０とスイッチ部ケース１５０に囲まれた領域の内部に設置されており、カード１４０は、スイッチ部ケース１５０に設けられたスイッチ部開口部１５１より外部に飛び出した形状の突起部１４４と、ベースブロック１３０とスイッチ部ケース１５０に囲まれた領域の内部に位置するカード本体部１４５とを有している。従って、スイッチ部１００においては、上部接触部１４１または下部接触部１４２は、ベースブロック１３０とスイッチ部ケース１５０に囲まれた領域の内部に設けられている。また、カード１４０、ベースブロック１３０及びスイッチ部ケース１５０は樹脂材料等からなる絶縁体材料により形成されている。
【００２３】
スイッチ部ケース１５０の外部には、回転軸１４３を中心にカード１４０を回転させるために、押下されるボタン１６０が設けられており、カード１４０は、カード１４０における突起部１４４の上部に設けられた接触部１４４ａにおいて、ボタン１６０の内壁部１６１と接触している。尚、接触部１４４ａは、内壁部１６１の表面を摺動するものであるため、摩擦抵抗を低減させるために内壁部１６１の表面には、フッ素樹脂等により形成された表面層を設けてもよい。また、スイッチ部ケース１５０の外部には、一方の端部がスイッチ部ケース１５０に接続され、他方の端部がボタン１６０に接続された開離バネ１７０が設けられている。
【００２４】
（スイッチ部におけるオン、オフ動作）
スイッチ部１００において、スイッチをオンにする場合には、スライド操作部４０をスライドさせることにより、ボタン１６０を押下し、ボタン１６０の内壁部１６１において接触部１４１が接触しているカード１４０が回転軸１４３を中心に回転する。これにより、上部接触部１４１を介し可動部１２０における可動板部１２２に下方向に力が加えられ、可動接点１２１と固定接点１１１とが接触する。この状態を図２４に示す。尚、後述するように、スイッチ部１００において、この状態は不図示のコンタクトスライド部におけるコンタクトスライド接触部により維持されるため、可動接点１２１と固定接点１１１との接触が維持され、電源から電力が供給される。
【００２５】
また、スイッチ部１００において、スイッチをオフにする場合には、スライド操作部４０をスライドさせることにより、ボタン１６０から離れるため、開離バネ１７０のバネ性による復元力により、ボタン１６０がオフの状態に戻る。即ち、図２３に示されるように、ボタン１６０の内壁部１６１において接触部１４４ａが接触しているカード１４０が回転軸１４３を中心に回転し、下部接触部１４２を介し可動部１２０における可動板部１２２に上方向に力が加わる。より具体的には、ボタン１６０がオフの状態に戻る際に、ボタン１６０の内壁に設けられた段部１６２がカード１４０に設けられた突起（不図示）に係合し、カード１４０が引き上げられ回転軸１４３を中心に回転することで、下部接触部１４２を介して可動板部１２２に上方向の力が加えられる。このように可動板部１２２に加えられた上方向の力により可動接点１２１と固定接点１１１との接触を離すことができ、電源からの電力の供給を停止することができる。この際、可動接点１２１と固定接点１１１との間でアークが発生する場合があるため、磁界の力によりアークを飛ばすことができるように、可動接点１２１と固定接点１１１との接触位置の近傍には、アークの発生する方向に対して略垂直方向の磁界を発生させる永久磁石１８０が設けられている。
【００２６】
スイッチ部１００では、電源からの電力の供給を遮断する際には、可動部１２０における可動バネ１２３等のバネの復元力を用いるのではなく、スイッチ部ケース１５０の外部に設けられた開離バネ１７０のバネの復元力によりオフ状態にするものである。このため、可動部１２０における可動バネ１２３等において復元力を有していない場合においても、電源をオフにすることができる。また、熱により可動バネ１２３等の一部が溶けてしまい、バネとしての機能が失われている場合においても、可動バネ１２３等の復元力を用いることなく、開離バネ１７０のバネ性により電源をオフ状態にすることができ、電源からの電力の供給を確実に遮断することができる。また、開離バネ１７０は、スイッチ部ケース１５０の外部に設置されているため、スイッチ部ケース１５０内部において固定部１１０及び可動部１２０が受ける可能性のある熱等の影響を受けることはない。
【００２７】
また、スイッチ部１００では、ベースブロック１３０において、固定バネ１１２の他方が接続されている部分と、可動バネ１２３の他方が接続されている部分との間には、絶縁壁１３３が設けられている。これにより、固定部１１０と可動部１２０との熱による溶解等が進行した場合においても、固定部１１０の溶解された部分と、可動部１２０の溶解された部分とが絶縁壁１３３により分離される。よって、固定部１１０と可動部１２０とが溶解し、くっついた状態のまま電流が流れ続けてしまうことを防ぐことができる。
【００２８】
本実施の形態におけるコネクタでは、スライド操作部４０は、プラグコネクタ２００と接続される面の側面に設けられている。このように側面に設けることにより、コネクタを小型化することができ、操作性を向上させることができる。即ち、スライド操作部がプラグコネクタ２００と接続される面に設けられているものでは、プラグコネクタ２００が障害となり、スライド操作部４０の操作がしにくく、電源の供給を緊急に停止したい場合等に支障となる場合があるが、プラグコネクタ２００と接続される面の側面にスライド操作部４０を設けることにより、スライド操作部４０の操作がし易くなり操作性を向上させることができる。
【００２９】
尚、本実施の形態におけるコネクタは、略直方体形状に形成されており、この直方体形状の一つの面において、プラグコネクタ２００と接続されるものであるが、スライド操作部４０は、プラグコネクタ２００と接続される面以外の面、即ち、プラグコネクタ２００と接続される面に隣接する面及び背面のいずれかに形成されるものであればよい。
【００３０】
〔第２の実施の形態〕
次に、第２の実施の形態について説明する。本実施の形態におけるコネクタバー３００は、第１の実施の形態におけるコネクタと同様のコネクタを複数配置し、全体を筐体部３２０により覆った構造のものであり、電源ケーブル３３０に接続されている。具体的には、図２５から図２７に示すように、第１の実施の形態におけるコネクタと同様のコネクタ１０ａをスライド操作部４０ａが同一面となるように、一次元的に筐体部３２０内に配置したものである。尚、図２５は本実施の形態におけるコネクタバー３００の斜視図であり、図２６は上面図であり、図２７は分解した斜視図であり、図２８は本実施の形態におけるコネクタバー３００に用いられるコネクタ１０ａの斜視図である。尚、図２５及び図２７においては、電源ケーブル３３０は省略されている。筐体部３２０は筐体下部３２１と筐体上部３２２とを有しており、筐体上部３２２は各々のコネクタ１０ａにおいてプラグコネクタ２００と接続される部分に開口部３２２ａを有している。また、筐体下部３２１と筐体上部３２２との間には、各々のコネクタ１０ａのスライド操作部４０ａが露出するように開口部が設けられている。
【００３１】
（他の構成のコネクタバー１）
次に、本実施の形態における別の形状のコネクタバーについて説明する。このコネクタバー３４０は、第１の実施の形態におけるコネクタ１０を複数配置し、全体を筐体部３５０により覆った構造のものであり、電源ケーブル３３０に接続されている。具体的には、図２９から図３１に示すように、第１の実施の形態におけるコネクタ１０をスライド操作部４０が同一面となるように、一次元的に筐体部３５０内に配置したものである。尚、図２９は本実施の形態におけるコネクタバー３４０の斜視図であり、図３０は上面図であり、図３１は分解した斜視図である。尚、図２９及び図３１において電源ケーブル３３０は省略されている。
【００３２】
筐体部３５０は筐体下部３５１と筐体上部３５２とを有しており、筐体上部３５２には各々のコネクタ１０においてプラグコネクタ２００と接続される部分に開口部３５２ａを有している。また、筐体上部３５２には、スライド操作部４０においてオン、オフを行なうためのスイッチ操作部３５３が各々のスライド操作部４０に対応して設けられている。このコネクタバー３４０では、詳細な説明は省略するが、スイッチ操作部３５３をスライドさせることにより、スライド操作部４０をスライドさせてオン、オフ制御を行なうことができる。尚、筐体上部３５２は、スイッチ操作部３５３の操作部分の一部が露出するように開口部３５２ｂが設けられている。
【００３３】
（他の構成のコネクタバー２）
更に、本実施の形態における別の形状のコネクタバーについて説明する。このコネクタバー３６０は、第１の実施の形態におけるコネクタを複数配置し、全体を筐体部３７０により覆った構造のものであり、電源ケーブル３３０に接続されている。具体的には、図３２から図３４に示すように、第１の実施の形態におけるコネクタ１０をスライド操作部４０が同一面となるように、一次元的に筐体部３７０内に配置したものである。尚、図３２はコネクタバー３６０の斜視図であり、図３３は上面図であり、図３４は分解した斜視図である。尚、図３２及び図３４においては、電源ケーブル３３０は省略されている。
【００３４】
筐体部３７０は筐体下部３７１と筐体上部３７２とを有しており、筐体上部３７２には各々のコネクタ１０においてプラグコネクタ２００と接続される部分に開口部３７２ａを有している。また、筐体上部３７２には、各々のスライド操作部４０を同時にオンまたはオフにするためのスイッチ操作部３７３が設けられている。スイッチ操作部３７３は、操作を行なうための操作部３７３ａと、棒状部３７３ｂを有しており、棒状部３７３ｂには各々のスライド操作部４０に対応して設けられた凹部３７３ｃが設けられている。よって、スイッチ部１７３において操作部１７３ａをスライドさせることにより、棒状部３７３ｂを介し、各々の凹部３７３ｃに接触している各々のスライド操作部４０を同時にスライドさせることができ、これにより、スライド操作部４０において同時にオン、オフ制御を行なうことができる。尚、筐体上部３７２は、スイッチ操作部３７３の操作部３７３ａの一部が露出するように開口部３７２ｂが設けられている。
【００３５】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００３６】
本願は２０１１年８月１１日に出願した日本国特許出願第２０１１−１７６４１０号に基づきその優先権を主張するものであり、同日本国出願の全内容を参照することにより本願に援用する。
【符号の説明】
【００３７】
１０        コネクタ
１０ａ      コネクタ
２１        ジャック開口部
２２        ジャック開口部
２３        ジャック開口部
３１        溝部
４０        スライド操作部
５０        筐体
６１        ジャック端子
６２        ジャック端子
６３        ジャック端子
３００      コネクタバー
３２０      筐体部
３２１      筐体下部
３２２      筐体上部
３２２ａ    開口部
３３０      電源ケーブル
【図１】
2013022089.tif 000003
【図２】
2013022089.tif 000004
【図３】
2013022089.tif 000005
【図４】
2013022089.tif 000006
【図５】
2013022089.tif 000007
【図６】
2013022089.tif 000008
【図７】
2013022089.tif 000009
【図８】
2013022089.tif 000010
【図９】
2013022089.tif 000011
【図１０】
2013022089.tif 000012
【図１１】
2013022089.tif 000013
【図１２】
2013022089.tif 000014
【図１３】
2013022089.tif 000015
【図１４】
2013022089.tif 000016
【図１５】
2013022089.tif 000017
【図１６】
2013022089.tif 000018
【図１７】
2013022089.tif 000019
【図１８】
2013022089.tif 000020
【図１９】
2013022089.tif 000021
【図２０】
2013022089.tif 000022
【図２１】
2013022089.tif 000023
【図２２】
2013022089.tif 000024
【図２３】
2013022089.tif 000025
【図２４】
2013022089.tif 000026
【図２５】
2013022089.tif 000027
【図２６】
2013022089.tif 000028
【図２７】
2013022089.tif 000029
【図２８】
2013022089.tif 000030
【図２９】
2013022089.tif 000031
【図３０】
2013022089.tif 000032
【図３１】
2013022089.tif 000033
【図３２】
2013022089.tif 000034
【図３３】
2013022089.tif 000035
【図３４】
2013022089.tif 000036
【国際調査報告】
2013022089.tif 000037
2013022089.tif 000038
2013022089.tif 000039